(57)【特許請求の範囲】
【請求項１】
対象物（１０）に連結する構造の第１の部分（１）と、第１の一体ヒンジ部を有するホルダー（３）に旋回可能に軸支された第２の一体ヒンジ部（６）を有する第２の部分（２）とから成り、該第１の部分（１）と第２の部分（２）とが入れ子式に運動するように互いに協動する構造である、組み立ておもちゃ用旋回アームにおいて、
前記第１の部分（１）は、第１アーム（７）と、該第１アームと分離不能に一体化接続されて剛体を形成する第２アーム（８）とから成り、該第１アームと第２アームとは互いに関して角度をなしたそのままの形で永続した姿勢で配置され、前記第１アームは前記第２の部分と入れ子式に運動をするように作動し、前記第２アームは、前記対象物（１０）を取り外し可能に連結する手段（９）を有していることを特徴とする、組立ておもちゃ用旋回アーム。
【請求項２】
対象物と連結する手段（９）はフック形状をしていることを特徴とする請求の範囲第１項に記載の旋回アーム。
【請求項３】
旋回アームは、ホルダー（３）に対して旋回アームを移動する如き構造をもったコード駆動装置（５，３１，４１）から成ることを特徴とする、請求の範囲第１項又は第２項に記載の旋回アーム。
【請求項４】
旋回アームは、ホルダー（３）に対して旋回アームを移動する如き構造をもった弾性力駆動装置（５，３１，４１）から成ることを特徴とする、請求の範囲第１項又は第２項に記載の旋回アーム。
【請求項５】
第１の部分と第２の部分は、弾性力を付与する手段（３３）によって相互接続されていることを特徴とする、請求の範囲第１項、第２項、第３項又は第４項に記載の旋回アーム。
【発明の詳細な説明】
【０００１】
本発明は組立おもちゃ用旋回アームに係り、２つの部分すなわち対象物に連結するよう構成された第１の部分とホルダーに旋回可能に軸支された第２の部分とから成っている。
【０００２】
子供たちが遊ぶときには、実生活で物体をまねることがしばしばある。組立おもちゃで遊ぶときには、実生活で見ている物体に似た外観及び動きをもった物体を実際に組み立てることができるのは当然である。
【０００３】
本発明は、子供たちに新しい実用的な建設の遊びの可能性を与える要素を提供する。
【０００４】
米国特許第３６６２４８８号明細書には、車台上に傾斜可能に設けられたごみ箱用として入れ子式に伸長可能なリフト機構をもつ車おもちゃが開示されている。このリフト機構は車に取り外し不能に設けられ、単純な直線状の押し棒だけから構成されている。
本発明の旋回アームでは、部分の一方に角度を付けて配置した２つのアームを設け、アームの一方は第２の部分と協動し、他方のアームは自由端に対象物と取り外し自在に連結する手段を有している。これによって、この旋回アームは組立おもちゃ内で使用するのに適し、かつ連結された対象物は、例えば旋回アームを蝶番で固定している水平面上でエッジより高く持ち上げられる。
【０００５】
請求の範囲第３項に述べているように、旋回アームはホルダーと旋回アームの第１の部分との間の協動によって移動可能に構成されているから、この協動運動によって旋回運動及び入れ子運動を行うことが単純な方法で得られる。この協動運動は請求の範囲第５項に述べられているようなコード駆動装置によって有利に行うことができる。
【０００６】
請求の範囲第４項は、ホルダーと旋回アームの第２の部分の間の協動によって旋回アームの運動が行なわれることを述べている。したがって、この運動は純旋回運動である。
【０００７】
請求の範囲第５項〜第７項は、旋回アームの運動を制御する有利な方法を別々に述べている。
【０００８】
最後に、請求の範囲第８項では旋回アームの２つの部分間に力の相互作用を与えている。ここでは、弾性力は引張り力又は圧縮力であってもよい。
【０００９】
本発明は図面を参照してより完全に以下に説明される。
【００１０】
図１は、第１の部分１と第２の部分２とを有する旋回アームを示す。旋回アームの第２の部分は、自動車おもちゃのシャーシ３にヒンジ６の所で旋回可能に軸支されている。コード５付きのプーリ４がシャーシ３上に設けられ、このコードはその外端で旋回アームの第１の部分１に接続されている。旋回アームの第１の部分１は部分７と部分８を有している。部分７は、旋回アームの第２の部分２中を入れ子式に移動できる。部分８は部分７と直角を成しており、自由端にフック９を形成している。
【００１１】
図３において、コード３１が旋回アームの第２の部分に接続している。コード３１とシャーシ３との間に引張バネ（不図示）が設けられている。コード３１と引張バネとは、弾性ゴムバンドで置きかえることができる。さらに、引張バネ３３例えば弾性ゴムバンドを旋回アームの第１の部分１と第２の部分２との間に設けている。
【００１２】
プーリ４をコード５をゆるめるように回転すると、バネ３３は部分７を部分２中に挿入するように引き込む。コードをさらにゆるめると、コード３１は、旋回アームがヒンジ６のまわりに旋回するように旋回アームをもち上げる。実際、旋回アームは、ヒンジ６のまわりに１８０度ばかり旋回できるので、フック９はシャーシ３の上側より低い位置をとる。その位置で、ベース上に載っている対象物とフックとが連結できる。図１に示すように、対象物は、例えば、自動車おもちゃのシャーシ３上に持ち上げられるコンテナ１０でもよい。コード５の引っぱり力がプーリ４によって再たび張られると、旋回アームが逆回転する。フックはコンテナ１０をもち上げて運ぶ。旋回アームがその旋回運動を完了した後、部分７を有する第１の部分１は並進運動によって、第２の部分の外部へと入れ子運動によって引っ張り出される。
【００１３】
したがって、旋回アームの引っ込み位置でのヒンジ６まわりのフック９の旋回半径の２倍以上大きい距離を水平にコンテナを動かすことができる。これによって、旋回アームの完全に延びた位置に相当する最大高さまではコンテナをもちあげないが、旋回アームのその引っ込み位置に相当する高さまでだけはコンテナ１０を持ち上げるように運動が行なわれる。
【００１４】
図４は、自動車おもちゃのシャーシ３と旋回アームとの間の力の伝達の他の実施例を示す。ここではコード４１は、旋回アームの第２の部分２の上部を通過している。ここでは、バネ(不図示)からの力は第２の部分２に直接伝達されないが、第１の部分１に伝達される、したがって図３の部分３１及び３３と同様の機能を有することになる。
【００１５】
図３のバネ３３は、ここでは引張バネであるとして説明してある。ここで述べた以外の他の使用については引っぱりばねのかわりに圧縮バネを使ってもよい。
【００１６】
旋回アームの第１の部分７はその自由端近くに弾性力のあるフック１１を有している。このフックは、第１の部分と第２の部分を組み合わすとき、旋回アームの第２の部分２上のエッジ１２と一緒になってスナップロックとして働らく。両部分を組み合わせたとき、フック１１とエッジ１２とは端部停止装置として働らくので、旋回アームのこの２つの部分は組み合わせ状態を保持する。
【００１７】
図示の実施例では、旋回アームの運動はコード駆動装置とバネ力によって生じる。又は、これらの運動は、堅い軸、歯車、鎖伝導装置等を使って実行できる。本発明の旋回アームは第１のアーム１の部分７と８は組み立てる必要がなくすでにできあがった角度をなした形状のため子供たちは特別の熟練を要することなくすぐにも利用できるという作用効果を有している。
【図面の簡単な説明】
【図１】本発明に係る旋回アームを有する自動車おもちゃを示す。
【図２】本発明に係る旋回アームの斜視図である。
【図３】本発明に係る旋回アームで、力の伝達の実施例を示す。
【図４】本発明に係る旋回アームで、力の伝達の他の実施例を示す。
【図１】
0003675815.tif 000002
【図２】
0003675815.tif 000003
【図３】
0003675815.tif 000004
【図４】
0003675815.tif 000005